(57)【特許請求の範囲】
【請求項１】
マスク本体と、
前記マスク本体の両端に設けられ、着用時に耳に掛けられる一対の耳掛け部とを備えたマスクの製造方法であって、
顔側に配置される第１マスク編地と、前記第１マスク編地の外側に前記第１マスク編地に重ねて配置される第２マスク編地とが無縫製で一体に接合され、
前記第１マスク編地及び第２マスク編地の中央部が前記マスク本体を構成し、前記第１マスク編地及び前記第２マスク編地の端部が一対の耳掛け部を構成しており、
前記第１マスク編地及び前記第２マスク編地は主糸と添糸とにより編まれたプレーティング編で形成され、
前記マスク本体は、顔側に配置される第１編地と、前記第１編地の外側に前記第１編地に重ねて配置される第２編地とを有し、前記第１編地は前記第１マスク編地の一部をなし、前記第２編地は前記第２マスク編地の一部をなし、
前記第１編地には隣り合う編み目を連結しないことで形成された開口が設けられ、前記開口は、前記第１編地及び前記第２編地の間に設けられる収容物が収容可能なポケットに連通し、
前記第１マスク編地及び前記第２マスク編地を熱収縮させる加熱工程を有する、マスクの製造方法。
【請求項２】
前記第１編地及び前記第２編地は、中央部分が総針加工され、外周部分が針抜加工されている、請求項１に記載のマスクの製造方法。
【請求項３】
前記第１編地及び前記第２編地の前記添糸は、前記第１編地及び前記第２編地の前記主糸よりも熱収縮率が大きい素材からなる、請求項１または２に記載のマスクの製造方法。
【請求項４】
前記第１編地の前記主糸は装着時に顔側を向く面に現れる、請求項１から３のいずれかに記載のマスクの製造方法。
【請求項５】
前記第１編地の前記主糸は、天然繊維を含む素材からなる、請求項１から４のいずれかに記載のマスクの製造方法。
【請求項６】
前記第１編地の前記主糸は、防臭、消臭及び抗菌の少なくとも１つの機能を有する素材の少なくとも一つからなる、請求項１から５のいずれかに記載のマスクの製造方法。
【請求項７】
前記第２編地は前記主糸が外側を向く面に現れるよう編まれる、請求項１から６のいずれかに記載のマスクの製造方法。
【請求項８】
前記第２編地の前記主糸が現れる面は、前記第２編地の前記添糸が現れる面と異なる色調及び図柄の少なくとも一方を有する、請求項７に記載のマスクの製造方法。
【請求項９】
前記耳掛け部は筒編みで形成されている、請求項１から８のいずれかに記載のマスクの製造方法。
【発明の詳細な説明】
【技術分野】
【０００１】
本発明は、マスクに関し、詳しくは、少なくとも口を覆うマスクに関するものである。
【背景技術】
【０００２】
従来より、様々な機能を有するマスクが提案されている。例えば、特許文献１に記載のマスクは、二枚重ねにしたニット生地からなり、顔側のニット生地の顔側を向く面にブラックシリカの微粉末を含有する鉱物含有ポリエステル繊維がプレーティング編みされたものである。このマスクによれば、顔側を向く面にブラックシリカが含まれているので花粉症などの症状の改善効果が期待できる。
【先行技術文献】
【特許文献】
【０００３】
【特許文献１】特許第５１９３０７５号公報
【発明の概要】
【発明が解決しようとする課題】
【０００４】
しかし、特許文献１に記載の発明においては、ニット生地（編地）を用いており、編み目が粗く、埃や塵が糸の間から侵入しやすいという問題がある。
【０００５】
本発明は前記問題に鑑みてなされたものであり、フィルター効果を向上させたマスクを提供することを課題としている。
【課題を解決するための手段】
【０００６】
本発明によるマスクは、マスク本体と、前記マスク本体の両端に設けられ、着用時に耳に掛けられる一対の耳掛け部とを備え、前記マスク本体は、顔側に配置される第１編地と、前記第１編地の外側に前記第１編地に重ねて配置される第２編地とを有し、前記第１編地及び前記第２編地は主糸と添糸とにより編まれたプレーティング編で形成された熱収縮した編地である。
【０００７】
上記の構成によれば、マスクは第１編地及び第２編地により二層に構成され、第１、第２の各編地が熱収縮した編地であり、熱収縮させていない編地に比べて編み目が詰まった状態、すなわち単位面積当たりの編み目の数が熱収縮させていないものよりも大きい状態の編地であるため、埃や塵が進入しにくくなり、フィルター効果を向上させることができる。
【０００８】
好ましい実施形態においては、前記第１編地及び前記第２編地は、中央部分が総針加工され、外周部分が針抜加工されていてもよい。
【０００９】
好ましい実施形態においては、前記第１編地及び前記第２編地の前記添糸は、前記第１編地及び前記第２編地の前記主糸よりも熱収縮率が大きい素材からなっていてもよい。
【００１０】
好ましい実施形態においては、前記第１編地の前記主糸は装着時に顔側を向く面に現れてもよい。
【００１１】
好ましい実施形態においては、前記第１編地の前記主糸は、天然繊維を含む素材からなっていてもよい。
【００１２】
好ましい実施形態においては、前記第１編地の前記主糸は、防臭、消臭及び抗菌の少なくとも１つの機能を有する素材の少なくとも一つからなっていてもよい。
【００１３】
好ましい実施形態においては、前記第２編地は前記主糸が外側を向く面に現れるよう編まれてもよい。
【００１４】
好ましい実施形態においては、前記第２編地の前記主糸が現れる面は、前記第２編地の前記添糸が現れる面と異なる色調及び図柄の少なくとも一方を有していてもよい。
【００１５】
好ましい実施形態においては、前記第１編地及び前記第２編地の間に収容物が収容可能なポケットが形成されていてもよい。
【００１６】
好ましい実施形態においては、前記第１編地と前記第２編地とは無縫製で連結されていてもよい。
【００１７】
好ましい実施形態においては、前記耳掛け部は筒編みで形成されていてもよい。
【発明の効果】
【００１８】
本発明によれば、フィルター効果を向上させたマスクを提供することができる。
【図面の簡単な説明】
【００１９】
【図１】本発明の一実施形態に係るマスクの背面図である。
【図２】マスクの正面図である。
【図３】図２のＡ−Ａ線に沿う断面図である。
【図４】図２のＢ−Ｂ線に沿う断面図である。
【図５】図２のＣ−Ｃ線に沿う断面図である。
【図６】プレーティング編みの説明図である。
【図７】ポケットに収容物を収容する動作を説明する斜視図である。
【図８】装着時のマスクを示す斜視図である。
【発明を実施するための形態】
【００２０】
本発明の実施形態を図面を参照して説明する。図１〜８は本発明の一実施形態のマスク１０を示す。マスク１０は、図１における上側を上にして、顔の少なくとも口を覆うように着用されるものであり、マスク本体１１と、マスク本体１１の両端に設けられ、着用時に耳に掛けられる一対の耳掛け部１２Ａ、１２Ｂとを備えている。本実施形態のマスク１０は、図１に示す第１マスク編地２０と図２に示す第２マスク編地３０とが無縫製で接合された二層構造を有している。第１マスク編地２０及び第２マスク編地３０の中央部がマスク本体１１を構成し、左右方向側端部が一対の耳掛け部１２Ａ、１２Ｂを構成しており、マスク本体１１と各耳掛け部１２Ａ、１２Ｂとの間に、耳を通すための開口１３が上下方向に設けられている。
【００２１】
本実施形態において、図８に示すように、装着時において第２マスク編地３０が外側に位置し、第１マスク編地２０が顔側に位置する。本明細書において、外側とは顔側と反対側であり、外を向く方向である。
【００２２】
第１マスク編地２０及び第２マスク編地３０は、図６に示すように、主糸Ｍと添糸Ｓとにより編まれたプレーティング編で形成されている。プレーティング編とは、添え糸編とも呼ばれ、主糸Ｍと添糸Ｓとを同時に編んで、編地の一方の面には主糸Ｍが主に現れるとともに添糸Ｓが見え隠れし、他方の面には添糸Ｓが主に現れるとともに主糸Ｍが見え隠れするようにする編み方である。本明細書において、「主糸Ｍが顔側を向く面（または外側を向く面）に現れる」とは、主糸Ｍが顔側を向く面（または外側を向く面）に主に現れるとともに添糸Ｓが顔側を向く面（または外側を向く面）に見え隠れするように現れることを言い、「添糸Ｓが顔側を向く面（または外側を向く面）に現れる」とは、添糸Ｓが顔側を向く面（または外側を向く面）に主に現れるとともに主糸Ｍが顔側を向く面（または外側を向く面）に見え隠れするように現れることを言う。
【００２３】
第１マスク編地２０は、プレーティング編における主糸Ｍがマスク１０の装着時に顔側を向く面に現れ、添糸Ｓが外側を向く面（顔側を向く面と反対側の面）に現れている。
【００２４】
主糸Ｍは天然繊維を含む素材から構成されている。天然繊維とは、例えば、毛、綿、絹、麻、ジュート、亜麻、または大麻等を素材とする繊維、またはこれらの繊維が混合された繊維であるが、これに限定されない。
【００２５】
本実施形態では、第１マスク編地２０の主糸Ｍを綿又は絹からなる天然繊維を含む素材から構成している。なお、第１マスク編地２０の主糸Ｍは、天然繊維素材に限定されず、添糸Ｓと同様に熱収縮性を有する後述する化学繊維素材であってもよく、また、防臭、消臭、抗菌及び吸水のうち少なくとも１つの機能を有する繊維素材から構成されていてもよい。
【００２６】
添糸Ｓは熱収縮性を有し、主糸Ｍよりも熱収縮率が大きい素材からなり、例えば、化学繊維を含む素材から構成されている。化学繊維には、合成繊維、半合成繊維、再生繊維を含む。合成繊維は、ポリマー繊維であり、例えば、ナイロン、ウーリーナイロン、ＦＩＹ、ポリウレタン、ポリエステル、ポリエステルから作成されたポリ塩化ビニル(ＰＶＣ)不含繊維、ポリ塩化ビニル(ＰＶＣ)繊維、ポリアミド、ポリイミド、ポリアクリル、ポリプロピレン、ポリエチレン、ポリスチレン、ポリアラミド等からなる繊維またはこれらの繊維が混合された繊維である。半合成繊維とは、セルロースなどの天然の高分子物質を化学的に処理してエステルなどの形に変え、繊維にしたものであり、例えば、アセテート繊維などである。再生繊維は、天然の高分子化合物を溶解して均一な溶液にし、これを再び繊維に形成したものであり、例えば、パルプを原料にした再生セルロース繊維である。なお、添糸Ｓに用いる化学繊維は上記に限定されない。
【００２７】
第２マスク編地３０は主糸Ｍが外側を向く面に現れるよう編まれ、添糸Ｓが顔側を向く面に現れるように編まれている。第２マスク編地３０の主糸Ｍが現れる面、すなわち外側を向く面は、第２マスク編地３０の添糸Ｓが現れる面、すなわち顔側を向く面と異なる色調を有するが、異なる図柄を有していてもよく、異なる色調及び図柄を有していてもよい。主糸Ｍに添糸Ｓよりも明度や彩度の高い色の糸を選択したり、主糸Ｍを異なる色の複数本の糸から構成することで、外側を向く面に図形や模様を描いたり、顔側を向く面と異なる色調にすることが可能となる。なお、主糸Ｍが現れる面と添糸Ｓが現れる面とが同じ色調、図柄であってもよい。第２マスク編地３０において、主糸Ｍは前述した天然繊維であってもよく、添糸Ｓと同様に熱収縮性を有する化学繊維素材であってもよい。添糸Ｓは熱収縮性を有し、主糸Ｍよりも熱収縮率が大きい素材からなり、第１マスク編地２０と同じ素材の化学繊維を用いることができる。
【００２８】
第１マスク編地２０及び第２マスク編地３０は、編み上げ後に加熱装置により約１１０度以上、約２１０度以下の温度で加熱処理されることで熱収縮した編地であり、加熱前よりも編み目が詰まった状態の編地、すなわち単位面積当たりの編み目の数が加熱前よりも大きい状態の編地である。加熱処理後の編地は、加熱前の大きさに対して約１０％〜４０％収縮した大きさとなっている。本実施形態では、特に添糸ＳとしてＳＣＹ(シングルカバードヤーン)と呼ばれる、ポリウレタンの周りに螺旋状にポリエステルやナイロンを巻いた糸を用いている。添糸Ｓが収縮するが溶融しない温度で編み上がった編地を加熱処理することで、添糸Ｓが熱収縮して主糸Ｍが引っ張られ、第１マスク編地２０及び第２マスク編地３０の編み目が詰まり全体の大きさが縮小し、ハリのある編地となっている。加熱装置として、例えば、電気蒸気アイロン及び蒸気吸引機能を有する仕上げ台が用いられる。
【００２９】
マスク本体１１は、顔側に配置される第１編地２１と、第１編地２１の外側に第１編地２１に重ねて配置される第２編地３１とを有している。第１編地２１は第１マスク編地２０の一部をなし、第２編地３１は第２マスク編地３０の一部をなす。
【００３０】
第１編地２１は、図１における背面から見た形状において横長形状に形成されており、上端縁２１ａは、左右方向の中央部が上側に凸となる湾曲形状に形成され、下端縁２１ｂは、左右方向の中央部が下側に凸となる湾曲形状に形成されている。上端縁２１ａの左右方向の両端を結んだ線ｌ１に対する上端縁２１ａの中央部との間の距離を上端縁２１ａの突出長さＬ１、下端縁２１ｂの両端を結んだ線ｌ２に対する下端縁２１ｂの中央部との間の距離を下端縁２１ｂの突出長さＬ２とすると、下端縁２１ｂの突出長さＬ２は上端縁２１ａの突出長さＬ１よりも大きく設定されている。
【００３１】
第１編地２１は主として平編みで編まれており、中央部分２２が総針加工され、外周部分２３は針抜加工されている。総針加工とは、横編機を使用し、編幅内の編針を空き針なく使用する総針配置で編むことを言い、針抜加工とは、横編機を使用して編幅内の編針間に空き針を設ける針抜き配置で編むことを言う。
【００３２】
外周部分２３は中央部分２２と境界Ｍで区分けされており、上端部２３ａ及び下端部２３ｂ、第１、第２の側端部２３ｃ、２３ｄから構成されている。上端部２３ａは一定の幅Ｌ３に設定され、下端部２３ｂは一定の幅Ｌ４に設定され、幅Ｌ３と幅Ｌ４とは同じ長さに設定されている。第１、第２の側端部２３ｃ、２３ｄの上下方向の中央部であって、中央部分２２と接する部分の幅Ｌ５（左右方向の長さ）は一定の幅であって、下端部２３ｂ及び上端部２３ａの幅Ｌ３、Ｌ４よりも長く設定されている。なお、図面においては、説明のために開口１３、２４を大きく記載しており、必ずしも幅Ｌ５が一定として描かれていない。
【００３３】
第１編地２１の中央部分２２と第１側端部２３ｃとの境界Ｍに、上下方向に沿って開口２４が設けられている。開口２４は、第１側端部２３ｃと中央部分２２との左右方向に隣り合う編み目を連結しないことで形成されている。開口２４は、第１編地２１を第２編地３１から離す方向に引っ張った際に第１編地２１の中央部分２２と第２編地３１の中央部分３２との間に生じる空間と連通しており、この空間には、ポケットＳＰとして、埃や花粉などを除去するための例えば不織布からなるフィルター、カイロ、香りや蒸気を発生させる素材等の収容物Ｏを収容可能である。開口２４を形成する中央部分２２の開口端部２２ｅは、上下方向にリブ編みにより形成されており、中央部分２２の他の部分よりも伸びを大きくして収容物Ｏの出し入れを容易にしている。なお、必ずしも第１編地２１と第２編地３１との間に収容物Ｏを収容する必要はない。また、開口２４が設けられていなくてもよい。
【００３４】
なお、開口２４の位置は本実施形態に限定されず、例えば、第１編地２１の中央部分２２と上端部２３ａとの境界Ｍ、または、第１編地２１の中央部分２２と下端部２３ｂとの境界Ｍに、左右方向に沿って開口２４が設けられていてもよく、第１編地２１の中央部分２２と第２編地３１の中央部分３２との間に生じる空間と連通し収容物Ｏを出し入れできればいずれの位置であってもよい。
【００３５】
第２編地３１は第１編地２１と略同一形状である。第２編地３１には開口２４は設けられていない。第２編地３１の中央部分３２の第１側端部３３ｃ側（図２における右側）であって、第１編地２１に形成される開口端部２２ｅに対応した位置には、針抜加工された部分３２ｅが上下方向に形成されている。その他の構成については第１編地２１と同じであるため、対応する構成に、一の位が第１編地２１の符号と同じ数字であって十の位が３である対応する符号を付することで、それぞれの詳細な説明は省略する。
【００３６】
一対の耳掛け部１２Ａ、１２Ｂは、顔側に配置される第１耳掛け編地２５と、第１耳掛け編地２５の外側に第１耳掛け編地２５に重ねて配置される第２耳掛け編地３５とを有している。第１耳掛け編地２５と第２耳掛け編地３５とは針抜加工されている。第１耳掛け編地２５は第１マスク編地２０の一部をなし、第２耳掛け編地３５は第２マスク編地３０の一部をなす。
【００３７】
第１耳掛け編地２５は、上下方向を長手方向とした帯状であり、上下の各端縁２５ａ、２５ｂと、内側側端縁２５ｃと外側側端縁２５ｄとを有する。第１耳掛け編地２５は、内側側縁端２５ｃの上下端がそれぞれマスク本体１１の第１編地２１の第１側端縁２１ｃの上下端及び第２側端縁２１ｄの上下端に連結されており、上端縁２５ａはマスク本体１１の上端縁２１ａと連続し、下端縁２５ｂはマスク本体１１の下端縁２１ｂと連続している。第２耳掛け編地３５の構成は第１耳掛け編地２５と同一であるため、対応する構成に、一の位が第１耳掛け編地２５の符号と同じ数字であって十の位が３である対応する符号を付することで、それぞれの詳細な説明は省略する。
【００３８】
第１マスク編地２０と第２マスク編地３０とは、その周縁同士が連結されている。すなわち、マスク本体１１の第１編地２１及び第２編地３１の上端縁２１ａ、３１ａ同士、第１耳掛け編地２５及び第２耳掛け編地３５の上端縁２５ａ、３５ａ同士が連結され、第１編地２１及び第２編地３１の下端縁２１ｂ、３１ｂ同士、第１耳掛け編地２５及び第２耳掛け編地３５の下端縁２５ｂ、３５ｂ同士が連結され、両側の第１耳掛け編地２５及び第２耳掛け編地３５の外側側端縁２５ｄ、３５ｄ同士が連結されている。
【００３９】
マスク本体１１は、第１編地２１と第２編地３１とが中央部分２２と外周部分２３との境界Ｍにおいて編み合わされて連結されている。また、開口１３を形成する第１編地２１及び第２編地３１の第１側端縁２１ｃ、３１ｃの上下方向の中央部同士が連結され、開口１３を形成する第１編地２１及び第２編地３１の第２側端縁２１ｄ、３１ｄの上下方向の中央部同士が連結されている。中央部分２２と上端部２３ａ及び下端部２３ｂとの境界Ｍより少し上下方向中央寄りであって、左右方向中央以外の領域には、それぞれ、第１編地２１と第２編地３１とを連結する編み目Ｋが境界Ｍに沿って複数個略等間隔に設けられている。
【００４０】
耳掛け部１２Ａ、１２Ｂは、第１耳掛け編地２５及び第２耳掛け編地３５の内側側端縁２５ｃ、３５ｃの上下方向の中央部同士が連結されて筒編みで形成されている。
【００４１】
本実施形態のマスク１０の製造は横編機を使って行われ、例えば株式会社島精機製作所製のホールガーメントコンピュータ横編機（機種名：ＳＷＧ０２１Ｎ２）などで編成することができる。マスク１０の製造は、編成工程と、加熱工程とを含む。
【００４２】
編成工程においては、マスク１０は、コンピュータにより予め設計された順序によって編成される。本実施形態では、マスク１０は、図２における左下から編み進められる。まず、第１マスク編地２０、第２マスク編地３０の編み出し及び止め編を行って第１マスク編地２０、第２マスク編地３０の編地始端を形成する。次に、第１マスク編地２０、第２マスク編地３０の下部が編まれる。すなわち、第２マスク編地３０の耳掛け部１２Ｂの第２耳掛け編地３５、マスク本体１１の第２側縁部３３ｄ、下端部３３ｂ、第１側縁部３３ｃ、耳掛け部１２Ａの第２耳掛け編地３５を順次編み、第１マスク編地２０の耳掛け部１２Ａの第１耳掛け編地２５、マスク本体１１の第１側縁部２３ｃ、下端部２３ｂ、第２側縁部２３ｄ、耳掛け部１２Ｂの第１耳掛け編地２５を順次編み、これらを一周とする編成を周回状に繰り返して、図２における下から上へ向かう方向に編み進める。
マスク本体１１の下端部２３ｂの編成が完了する高さまで編み終わると、次に耳掛け部１２Ｂが開口１３の上端の高さまで筒編みで編まれ、耳掛け部１２Ａが開口１３の上端の高さまで筒編みで編まれ、さらに、マスク本体１１の第１編地２１、第２編地３１が周回状に編まれる。そして、耳掛け部１２Ｂ、耳掛け部１２Ａ、マスク本体１１が連結される。次に、第１マスク編地２０、第２マスク編地３０の上部、すなわち、耳掛け部１２Ａの上部、マスク本体１１の第１側縁部２３ｃ、３３ｃの上部、上端部２３ａ、３３ａ、第２側縁部２３ｄ、３３ｄの上部、耳掛け部１２Ｂの上部が、第１マスク編地２０、第２マスク編地３０の下部と同様に周回状に編まれる。最後に、第１マスク編地２０、第２マスク編地３０の上端縁２１ａの止め編を行う。これにより、マスク１０の編成が行われる。
【００４３】
次に、編成工程が完了した編地をアイロン等の加熱装置により添糸Ｓが収縮するが溶融しない温度に加熱する加熱工程が行われる。この際、アイロン掛けは、編成工程が完了した編地にあて布をしてテカリが出ない程度の圧力で行われる。加熱工程により、第１マスク編地２０、第２マスク編地３０が熱収縮した編地となる。これらの工程によりマスク１０が完成する。
【００４４】
マスク１０を装着するには、図８に示すように、耳掛け部１２Ａ、１２Ｂを引っ張って開口１３を大きくして耳に掛けてマスク本体１１で口や鼻を覆う。
【００４５】
上記の構成によれば、第１マスク編地２０及び第２マスク編地３０はプレーティング編で形成された熱収縮した編地であり、加熱前よりも編み目が詰まった状態の編地、すなわち単位面積当たりの編み目の数が加熱前よりも大きい状態の編地である。このように、編み目が熱収縮前よりも詰まっているため、埃等の侵入を防ぐフィルター効果を向上させることができる。さらに、熱収縮した編地は加熱前の編地よりも編地に強度や弾力がある、いわゆる「ハリ」がある状態となり、装着時に顔にフィットしやすい。また、第１マスク編地２０及び第２マスク編地３０は熱収縮した編地であるため、引張力を与えると引張力の方向に沿って熱収縮前の大きさ程度にまで伸ばすことができる。このように、第１マスク編地２０及び第２マスク編地３０は伸縮性を有しているため、装着する際にマスク１０を伸ばすことができ装着が容易になる。また、装着時に顔の大きさに合わせてマスク１０が伸びるため、マスク１０が顔にフィットしやすくなる。
【００４６】
また、第１マスク編地２０と第２マスク編地３０とは無縫製で連結されている。このため、第１マスク編地２０と第２マスク編地３０とを連結する手間がなく、簡単にマスク１０の製造を行うことができ、生産性が良い。
【００４７】
また、第１マスク編地２０の顔側に向かう面に主糸Ｍが現れており、主糸Ｍに様々な機能を有する糸を用いることで、機能性マスクを実現することができる。本実施形態では、主糸Ｍを綿又は絹等の天然繊維素材から構成しているため、マスク１０の装着時に肌触りが良い。また、主糸Ｍに防臭、消臭及び抗菌のうちの少なくとも一つの機能を有する糸を用いることで、これらの機能を有する機能性マスクを実現することができる。
【００４８】
第２マスク編地３０の主糸Ｍが現れる面は外側を向く面である。主糸Ｍに添糸Ｓよりも明度や彩度の高い色の糸を選択したり、主糸Ｍを異なる色の複数本の糸から構成することで、外側を向く面に主糸Ｍにより図形や模様を描いたり、顔側を向く面と異なる色調にすることができ、マスク１０の見栄えを良くし、ファッション性に優れたマスク１０とすることができる。主糸Ｍに天然繊維を含む素材を選択する場合には、視認者にナチュラルな印象を与えることができる。
【００４９】
上述したように、第１マスク編地２０及び第２マスク編地３０は熱収縮した編地であり埃等の侵入を防ぐフィルター効果を有するが、さらにマスク本体１１の中央部分２２を総針加工することにより、より編み目が詰まり、埃等の侵入を防ぐフィルター効果を向上させることができる。
【００５０】
さらに、マスク本体１１の外周部分２３は針抜加工されており、抜針加工による外周部分２３は総針加工による中央部分２２よりも糸の間の隙間が大きく加熱処理により収縮しやすい。このため、マスク本体１１の外周部分２３が中央部分２２よりも収縮し、マスク１０に立体感が出てマスク１０の装着時に顔にフィットしやすくなり、埃等の進入を防ぐことができる。
【００５１】
マスク本体１１の下端縁２１ｂの突出長さＬ２は上端縁２１ａの突出長さＬ１よりも大きく設定されている。これにより、装着時に顎までしっかりと覆うことができ、埃等の進入を防ぐことができる。
【００５２】
耳掛け部１２Ａ、１２Ｂは針抜加工されて筒編みで形成されており、伸縮性を有している。装着時に耳の形状に沿って耳掛け部１２Ａ、１２Ｂが伸びるため、長時間マスク１０を装着しても耳に痛みが生じにくい。また、耳掛け部１２Ａ、１２Ｂを装着の際に引っ張ることで開口１３の面積が大きくなり、耳に掛けやすい。
【００５３】
上記の本実施形態では、横編み機により無縫製で第１マスク編地２０と第２マスク編地３０を編成することで、耳掛け部１２Ａ、１２Ｂはマスク本体１１と一体に製造されるが、横編み機によりマスク本体１１の第１編地２１と第２編地３１とを無縫製で編成し、耳掛け部１２Ａ、１２Ｂを縫製によりマスク本体１１に取付けてもよい。この場合でも、マスク本体１１の第１編地２１と第２編地３１とは無縫製により連結されるため、縫製の手間無く簡単にマスク本体１１を製造することができる。
【００５４】
なお、マスク本体１１の第１編地２１と第２編地３１とを縫製により連結し、さらに、耳掛け部１２Ａ、１２Ｂを縫製によりマスク本体１１に取付けてもよい。また、第１マスク編地２０、第２マスク編地３０を１枚の編地としてそれぞれ編み、縫製により連結してもよい。
【００５５】
以上、本発明の一実施形態について説明したが、本発明は上記実施形態に限定されるものではなく、本発明の趣旨を逸脱しない限りにおいて種々の変更が可能である。
【符号の説明】
【００５６】
１０  マスク
１１  マスク本体
１２Ａ、１２Ｂ  一対の耳掛け部
１３  開口
２０  第１マスク編地
２１  第１編地
２５  第１耳掛け編地
３０  第２マスク編地
３１  第２編地
３５  第２耳掛け編地
Ｍ  主糸
Ｓ  添糸
Ｏ  収容物
ＳＰ  ポケット
【要約】
【課題】フィルター効果を向上させたマスクを提供する。
【解決手段】
マスク１０は、マスク本体１１と、マスク本体１１の両端に設けられ、着用時に耳に掛けられる一対の耳掛け部１２Ａ、１２Ｂとを備え、マスク本体１１は、顔側に配置される第１編地２１と、第１編地２１の外側に第１編地２１に重ねて配置される第２編地３１とを有し、第１編地２１及び第２編地３１は主糸Ｍと添糸Ｓとにより編まれたプレーティング編で形成された熱収縮した編地である。
【選択図】図１【図１】
0006831607.tif 000002
【図２】
0006831607.tif 000003
【図３】
0006831607.tif 000004
【図４】
0006831607.tif 000005
【図５】
0006831607.tif 000006
【図６】
0006831607.tif 000007
【図７】
0006831607.tif 000008
【図８】
0006831607.tif 000009